(57)【要約】【課題】情報表示装置で表示される各種情報のうち特に報知の必要性の高い情報を的確に報知する。【解決手段】情報表示装置１に付設される報知装置２として、音を出力する音出力手段３と、光を出力する光出力手段４と、前記情報表示装置１にて表示可能な各種情報のうち予め決められた報知の必要性の高い一部の情報に関する出力信号を選択信号Ｓ（例えばＳ１〜Ｓ３）として入力する入力手段５と、この入力手段５にて入力された選択信号Ｓに応じて音成分と光成分とが含まれる報知信号を生成し、前記音出力手段３及び光出力手段４に前記報知信号を送信することで、音出力手段３から前記音成分に基づく音を出力させると共に前記光出力手段４から前記光成分に基づく光を出力させる出力制御手段６と、を備える。更に、この報知装置２と情報表示装置１とを含む情報表示システムをも対象とする。【選択図】図１
2013009725.tif 000002
【特許請求の範囲】
【請求項１】
各種情報を表示する情報表示装置に付設され、前記情報表示装置にて表示される各種情報の一部の情報を報知する報知装置であって、
音を出力する音出力手段と、
光を出力する光出力手段と、
前記情報表示装置にて表示可能な各種情報のうち予め決められた報知の必要性の高い一部の情報に関する出力信号を選択信号として入力する入力手段と、
この入力手段にて入力された選択信号に応じて音成分と光成分とが含まれる報知信号を生成し、前記音出力手段及び光出力手段に前記報知信号を送信することで、音出力手段から前記音成分に基づく音を出力させると共に前記光出力手段から前記光成分に基づく光を出力させる出力制御手段と、
を備えたことを特徴とする報知装置。
【請求項２】
請求項１記載の報知装置において、
前記出力制御手段は、前記報知信号の音成分及び光成分の少なくともいずれか一方の成分を可変設定する可変設定部を備えていることを特徴とする報知装置。
【請求項３】
請求項１又は２記載の報知装置において、
前記出力制御手段は、前記入力手段から入力された選択信号に対応する第１の報知信号と、この第１の報知信号とは異なり且つ前記情報表示装置の表示情報とは別に設定可能な第２の報知信号と、を生成する信号生成部を備えていることを特徴とする報知装置。
【請求項４】
請求項１ないし３いずれかに記載の報知装置において、
ユーザーにより操作可能に設けられ、前記音出力手段及び前記光出力手段による報知出力動作が強制停止させられる停止操作手段を備えていることを特徴とする報知装置。
【請求項５】
請求項１ないし４いずれかに記載の報知装置において、
ユーザーにより操作可能に設けられ、前記音出力手段及び前記光出力手段による報知出力を確認したことを告知する告知操作手段を備えていることを特徴とする報知装置。
【請求項６】
各種情報を表示する情報表示装置と、
この情報表示装置に付設され、前記情報表示装置にて表示される各種情報の一部の情報を報知する報知装置と、を備え、
前記報知装置は、
音を出力する音出力手段と、
光を出力する光出力手段と、
前記情報表示装置にて表示可能な各種情報のうち予め決められた報知の必要性の高い一部の情報に関する出力信号を選択信号として入力する入力手段と、
この入力手段にて入力された選択信号に応じて音成分と光成分とが含まれる報知信号を生成し、前記音出力手段及び光出力手段に前記報知信号を送信することで、音出力手段から前記音成分に基づく音を出力させると共に前記光出力手段から前記光成分に基づく光を出力させる出力制御手段と、
を有することを特徴とする情報表示システム。
【請求項７】
請求項６記載の情報表示システムにおいて、
前記報知装置は、前記情報表示装置に隣接又は離間して設けられることを特徴とする情報表示システム。
【請求項８】
請求項６記載の情報表示システムのうち複数の情報表示装置に対し夫々報知装置を付設する態様において、
各報知装置は対応する各情報表示装置に関連付けられた位置関係をもって予め決められた領域にまとめて配置されていることを特徴とする情報表示システム。
【請求項９】
請求項６ないし８いずれかに記載の情報表示システムにおいて、
前記情報表示装置はパチンコ機又はパチスロ機等の遊技機を情報表示対象とすることを特徴とする情報表示システム。
【発明の詳細な説明】
【技術分野】
【０００１】
本発明は、情報を報知する報知装置に係り、特に、各種情報が表示される情報表示装置に付設され、情報表示装置で表示される各種情報のうち報知の必要性が高い一部の情報を報知する報知装置及びこれを用いた情報表示システムの改良に関する。
【背景技術】
【０００２】
一般に、パチンコ機やパチスロ機等の遊技機には、ホールの係や遊技機のユーザーに対して各遊技機の各種情報を表示する情報表示装置として所謂呼出ランプと称するものが設けられている。
従来この種の情報表示装置としては、例えば特許文献１，２に記載のものが既に提供されている。
特許文献１は、各遊技機から出力される当該遊技機の稼働状況を示す稼働状況信号と、外部から供給される音声信号とが入力する音声信号制御装置を、遊技機ごとに取り付けられている呼び出しランプ装置やその他の機器装置に付設し、前記稼働状況信号及び外部からの音声信号を前記音声信号制御装置で処理して、イヤホン、スピーカ等の音声出力装置で遊技者が聞くことができるように構成した技術である。
また、特許文献２は、呼出ランプユニット内の制御部として、大当たり終了後から現在時点までの期間における転落抽選動作の実行回数と当該抽選動作の当選確率、並びに大当たり抽選動作の実行回数と当該抽選動作の当選確率に基づいて、現在時点において確率変動状態が継続している割合を示す確変継続確率を算出し、その確変継続確率をデータ表示器に表示する技術である。
【先行技術文献】
【特許文献】
【０００３】
【特許文献１】特開２００７−１２５０７６号公報（発明を実施するための最良の形態，図１）
【特許文献２】特開２００７−１６７３８２号公報（発明を実施するための最良の形態，図１，図８）
【発明の概要】
【発明が解決しようとする課題】
【０００４】
これらの特許文献１，２によれば、情報表示装置には各種情報を広範囲に表示し、しかも、表示態様として音声をも含む方式を採用することも可能であるが、情報表示装置に表示される情報量が多いため、情報表示装置の見方を熟知しているユーザーにとっては情報表示装置は利便性が高いものの、情報表示装置の見方を熟知していないユーザーにとっては情報表示装置の表示情報のうち特に知りたい情報がどの表示部位の情報であるのかが分かり難く、情報表示装置を十分には活用できていない懸念がある。
【０００５】
尚、この種の不具合は、前述した遊技機に設けられる情報表示装置に限られるものではなく、各種情報を表示する情報表示装置全般に見られるものである。
本発明が解決しようとする技術的課題は、情報表示装置で表示される各種情報のうち特に報知の必要性の高い情報を的確に報知することにある。
【課題を解決するための手段】
【０００６】
請求項１に係る発明は、各種情報を表示する情報表示装置に付設され、前記情報表示装置にて表示される各種情報の一部の情報を報知する報知装置であって、音を出力する音出力手段と、光を出力する光出力手段と、前記情報表示装置にて表示可能な各種情報のうち予め決められた報知の必要性の高い一部の情報に関する出力信号を選択信号として入力する入力手段と、この入力手段にて入力された選択信号に応じて音成分と光成分とが含まれる報知信号を生成し、前記音出力手段及び光出力手段に前記報知信号を送信することで、音出力手段から前記音成分に基づく音を出力させると共に前記光出力手段から前記光成分に基づく光を出力させる出力制御手段と、を備えたことを特徴とする報知装置である。
【０００７】
請求項２に係る発明は、請求項１に係る報知装置において、前記出力制御手段は、前記報知信号の音成分及び光成分の少なくともいずれか一方の成分を可変設定する可変設定部を備えていることを特徴とする報知装置である。
請求項３に係る発明は、請求項１又は２に係る報知装置において、前記出力制御手段は、前記入力手段から入力された選択信号に対応する第１の報知信号と、この第１の報知信号とは異なり且つ前記情報表示装置の表示情報とは別に設定可能な第２の報知信号と、を生成する信号生成部を備えていることを特徴とする報知装置である。
請求項４に係る発明は、請求項１ないし３いずれかに係る報知装置において、ユーザーにより操作可能に設けられ、前記音出力手段及び前記光出力手段による報知出力動作が強制停止させられる停止操作手段を備えていることを特徴とする報知装置である。
請求項５に係る発明は、請求項１ないし４いずれかに係る報知装置において、ユーザーにより操作可能に設けられ、前記音出力手段及び前記光出力手段による報知出力を確認したことを告知する告知操作手段を備えていることを特徴とする報知装置である。
【０００８】
請求項６に係る発明は、各種情報を表示する情報表示装置と、この情報表示装置に付設され、前記情報表示装置にて表示される各種情報の一部の情報を報知する報知装置と、を備え、前記報知装置は、音を出力する音出力手段と、光を出力する光出力手段と、前記情報表示装置にて表示可能な各種情報のうち予め決められた報知の必要性の高い一部の情報に関する出力信号を選択信号として入力する入力手段と、この入力手段にて入力された選択信号に応じて音成分と光成分とが含まれる報知信号を生成し、前記音出力手段及び光出力手段に前記報知信号を送信することで、音出力手段から前記音成分に基づく音を出力させると共に前記光出力手段から前記光成分に基づく光を出力させる出力制御手段と、を有することを特徴とする情報表示システムである。
【０００９】
請求項７に係る発明は、請求項６に係る情報表示システムにおいて、前記報知装置は、前記情報表示装置に隣接又は離間して設けられることを特徴とする情報表示システムである。
請求項８に係る発明は、請求項６に係る情報表示システムのうち複数の情報表示装置に対し夫々報知装置を付設する態様において、各報知装置は対応する各情報表示装置に関連付けられた位置関係をもって予め決められた領域にまとめて配置されていることを特徴とする情報表示システムである。
請求項９に係る発明は、請求項６ないし８いずれかに係る情報表示システムにおいて、前記情報表示装置はパチンコ機又はパチスロ機等の遊技機を情報表示対象とすることを特徴とする情報表示システムである。
【発明の効果】
【００１０】
請求項１に係る発明によれば、情報表示装置で表示される各種情報のうち特に報知の必要性の高い情報を的確に報知することができる。
請求項２に係る発明によれば、報知対象者を考慮し、音と光との組み合わせによる報知表現を変更することができる。
請求項３に係る発明によれば、情報表示装置の表示情報のうち特に報知の必要性の高い情報を報知することに加えて、報知装置設置者の自由意思による情報を報知することができる。
請求項４に係る発明によれば、音と光による報知出力動作が不要に至った場合に適宜停止させることができる。
請求項５に係る発明によれば、報知装置による報知出力について確認したか否かを容易に告知することができる。
請求項６に係る発明によれば、情報表示装置で表示される各種情報のうち特に報知の必要性の高い情報を的確に報知することが可能な情報表示システムを容易に構築することができる。
請求項７に係る発明によれば、情報表示装置に対して別途設けられた報知装置を簡単に配置することができる。
請求項８に係る発明によれば、複数の情報表示装置に対応して報知装置を設置する態様で、複数の報知装置の報知出力から複数の情報表示装置の情報を容易に把握することができる。
請求項９に係る発明によれば、パチンコ機又はパチスロ機等の遊技機に対する情報表示装置で表示される各種情報のうち、特に報知の必要性の高い情報を的確に報知することが可能な情報表示システムを容易に構築することができる。
【図面の簡単な説明】
【００１１】
【図１】（ａ）は本発明が適用される情報表示システムの実施の形態の概要を示す説明図、（ｂ）は（ａ）の情報表示システムで用いられる報知装置を示す説明図である。
【図２】実施の形態１に係る情報表示システムの全体構成を示す説明図である。
【図３】実施の形態１に係る情報表示システムの要部を示すブロック図である。
【図４】実施の形態１で用いられる情報表示装置としての呼出ランプの構成例を示す説明図である。
【図５】実施の形態１で用いられる呼出ランプと報知装置との接続関係を示す説明図である。
【図６】実施の形態１で用いられる報知装置の詳細を示す説明図である。
【図７】実施の形態１で用いられる報知装置の構成例を示す説明図である。
【図８】実施の形態１で用いられる制御装置の報知制御処理を示すフローチャートである。
【図９】（ａ）は選択信号と第１の報知信号とを関連付けた検索テーブルの一例を示す説明図、（ｂ）は報知信号の音成分の構成例を示す説明図、（ｃ）は報知信号の光成分の構成例を示す説明図である。
【図１０】実施の形態２に係る報知装置の詳細を示す説明図である。
【図１１】実施の形態３に係る報知装置の詳細を示す説明図である。
【図１２】（ａ）は実施の形態４に係る情報表示システムの構成例を示す説明図、（ｂ）は（ａ）の表示ボードの構成例を示す説明図である。
【図１３】実施の形態５に係る情報表示システムの構成例を示す説明図である。
【図１４】実施の形態５で用いられる報知装置の詳細を示す説明図である。
【発明を実施するための形態】
【００１２】
◎実施の形態の概要
図１（ａ）は本発明が適用される情報表示システムの実施の形態の概要を示す。
同図において、この情報表示システムは、各種情報を表示する情報表示装置１と、この情報表示装置１に付設され、情報表示装置１にて表示される各種情報の一部の情報を報知する報知装置２と、を備えている。
本例では、情報表示装置１は、パチンコ機又はパチスロ機等の遊技機を情報表示対象Ｔとする所謂呼出ランプと称されるものを例に挙げているが、これに限定されるものではなく、これからの情報社会で各家庭や情報管理組織などに設置される広く各種情報を表示する装置を含む。
また、報知装置２としては、情報表示装置１に表示される各種情報のうち報知の必要性の高い一部の情報を報知するものを広く含む。
ここで、情報表示装置１と報知装置２との対応関係としては、情報表示装置１台毎に報知装置２を対応させる態様（例えば各遊技機の情報表示装置に夫々報知装置を設置）でもよいし、あるいは、共通の情報表示装置１に対し複数台の報知装置２を付設する態様（例えば情報管理センターにて集中管理する情報表示装置の情報の一部を各家庭に報知するために報知装置を設置）でもよい。
【００１３】
ここで、本例の報知装置２は、図１（ｂ）に示すように、音を出力する音出力手段３と、光を出力する光出力手段４と、前記情報表示装置１にて表示可能な各種情報のうち予め決められた報知の必要性の高い一部の情報に関する出力信号を選択信号Ｓ（例えばＳ１〜Ｓ３）として入力する入力手段５と、この入力手段５にて入力された選択信号Ｓに応じて音成分と光成分とが含まれる報知信号を生成し、前記音出力手段３及び光出力手段４に前記報知信号を送信することで、音出力手段３から前記音成分に基づく音を出力させると共に前記光出力手段４から前記光成分に基づく光を出力させる出力制御手段６と、を備えたものである。
【００１４】
このような技術的手段において、音出力手段３としては、音成分に基づく音を出力するものであれば、ブザー等の音源を始め適宜選定して差し支えない。ここでいう音成分とは、音の周波数から音楽のカテゴリーに至るまで音に関する成分を広く含む。
また、光出力手段４としては、光成分に基づく光を出力するものであれば、ＬＥＤ等の光源を始め適宜選定して差し支えない。ここでいう光成分とは、光の色から文字内容に至るまで視覚に与える光に関する成分を広く含む。
更に、入力手段５としては、情報表示装置１の出力信号を選択信号Ｓとして入力するものであれば、入力ポートを始め適宜選定して差し支えない。
ここで情報表示装置１と報知装置２との配置関係については適宜選定されるが、両者間が比較的接近した配置関係にあっては配線部材を用いて接続すればよく、また、遠隔な配置関係にある態様では入力手段５に通信機能部を具備させ、通信可能な態様にしてもよい。
更にまた、出力制御手段６としては、音成分と光成分とが含まれる報知信号を生成する機能部と、この生成した報知信号を音出力手段３と光出力手段４とに送信する機能部とを具備していればよい。
ここで、音成分と光成分とについては、情報表示装置１の情報を表示する表示形態と同様なものを含んでいてもよい。これは、例えば情報表示装置１から報知装置２を離して設置する場合に、報知装置２として情報表示装置１の情報を表示する表示形態を用いても問題が生じないように考えられることによる。
しかしながら、報知対象者に対して報知出力を的確に理解させるように、情報表示装置１とは別により目立つ形態を選定することが好ましい。
また、報知信号を生成する機能部としては、例えばメモリ内に予め決められた音成分と光成分とに関連付けられ報知信号とこれを選択する選択信号Ｓとを対応付けたテーブルを保存しておき、入力手段５に入力された選択信号Ｓに応じて報知信号を前記テーブルから検索して生成するなど適宜選定して差し支えない。
【００１５】
次に、本実施の形態の代表的な態様又は好ましい態様について説明する。
先ず、出力制御手段６の好ましい態様としては、報知信号の音成分及び光成分の少なくともいずれか一方の成分を可変設定する可変設定部７を備えている態様が挙げられる。
本態様において、可変設定部７は、報知信号の音成分及び光成分の少なくともいずれか一方を可変設定するもので、例えば報知対象者に応じて音成分としての周波数（高低）を変えたり、音楽のカテゴリーを変えたり、あるいは、光成分として光の色の組み合わせや光の点灯タイミングを変える等する。
また、出力制御手段６の別の好ましい態様としては、入力手段５から入力された選択信号Ｓ（本例ではＳ１〜Ｓ３）に対応する第１の報知信号と、この第１の報知信号とは異なり且つ情報表示装置１の表示情報とは別に設定可能な第２の報知信号と、を生成する信号生成部８を備えている態様が挙げられる。
本態様では、第１の報知信号に加えて、情報表示装置１の表示情報とは無関係に設定可能な第２の報知信号を生成し、この第２の報知信号に従って、音と光との組み合わせによる報知表現（例えば報知装置設置者の店舗独自のイメージ音楽、店舗開店時に店舗を活気あるイメージにするために所定時間光を点滅）をすることが可能である。
【００１６】
更に、この種の報知装置２の好ましい態様としては、ユーザーにより操作可能に設けられ、音出力手段３及び光出力手段４による報知出力動作が強制停止させられる停止操作手段９を備えている態様が挙げられる。
本態様では、一般的に、報知装置２の報知出力は通常一定時間後に自動的に停止するように設定されるが、自動停止前であっても、停止操作手段９を操作することで、音出力手段３及び光出力手段４による報知出力動作を途中で停止させることが可能である。
更にまた、この種の報知装置２には、ユーザーにより操作可能に設けられ、音出力手段３及び光出力手段４による報知出力を確認したことを告知する告知操作手段１０を備えるようにすることも可能である。
この種の告知操作手段１０を操作することで、報知装置２の報知出力を確認したことを情報表示装置１側の管理者に告知する。例えば防犯システムや介護システムや地震管理システム等に本願の報知装置２を適用する場合、この種の告知操作手段１０を設けておけば報知装置２側から確認情報を告知することが可能である。
【００１７】
また、報知装置２は情報表示装置１に付設されるものであればよく、情報表示装置１の筐体内に報知装置収容部を設けるようにしてもよいが、情報表示装置１と別個に報知装置２を構成した態様では、報知装置２の代表的レイアウトとしては情報表示装置１に隣接して設けるか、あるいは、離間して設けるものが挙げられる。
更に、複数の情報表示装置１に対し夫々報知装置２を付設する態様においては、各報知装置２は対応する各情報表示装置１に関連付けられた位置関係をもって予め決められた領域にまとめて配置するようにしてもよい。
本態様では、複数の情報表示装置１に対応して報知装置２を設置する態様で、複数の報知装置２をまとめて配置しておけば、夫々の報知装置２の報知出力から対応する複数の情報表示装置１の情報を把握することが可能である点で好ましい。
【００１８】
以下、添付図面に示す実施の形態に基づいてこの発明をより詳細に説明する。
◎実施の形態１
図２は実施の形態１で用いられる遊技機の管理システム及び情報表示システムの概要を示す説明図である。
−遊技機の管理システムの概要−
同図において、遊技機（本例ではパチンコ機）２０はパチンコホール内にて複数台毎に島を作るように配列されており、遊技機２０間には玉貸機２１が設けられ、プリペードカード挿入口２２に図示外のプリペードカードを挿入することで当該プリペードカードの残高金額データの範囲内でパチンコ玉を放出するようになっている。
そして、これらの各遊技機２０及び玉貸機２１は管理装置２５と通信ライン２６を介して通信可能に接続されており、当該管理装置２５は、遊技機２０及び玉貸機２１から出力される種々の信号（アウト信号、セーフ信号、スタート信号、大当たり信号、確変信号、売上信号など）に基づいて、遊技機２０についての稼働データ（アウト玉数、セーフ玉数、稼働率、出玉率、スタート数など）、並びに、玉貸機２１についての貸出高データ（売上金額など）を集計して格納するという公知のデータ集計機能を具現化する構成を備えている。
【００１９】
−遊技機の情報表示システムの概要−
図２及び図３において、遊技機の情報表示システムは、遊技機２０の各種情報Ｓ（Ｓ１〜Ｓｎ）を表示する情報表示装置としての呼出ランプ３０と、この呼出ランプ３０に付設されて当該呼出ランプ３０で表示される情報のうち特に報知の必要性の高い一部の情報を報知する報知装置５０と、を備えている。
ここで、報知装置５０は、詳細は後述するが、独自のＡＣ電源（本例ではＡＣ２４Ｖを使用）６０からの電力供給によって、音を発生させると共に光として例えばＬＥＤを点滅させるという出力形式で必要な情報を報知するようになっている。
尚、報知装置５０の設置場所は適宜選定して差し支えないが、呼出ランプ３０との配線性などを考慮した場合には、呼出ランプ３０の周辺に設置され、絶縁性の接着テープなどを用いて取り付けられる。
【００２０】
＜呼出ランプ＞
本実施の形態において、呼出ランプ３０は、各遊技機２０の上方に夫々設置されており、各遊技機２０からの各種情報信号が入力されて各種情報を表示すると共に、パチンコ玉が詰まる等のトラブル時にパチンコホールの係員を呼び出す機能を備えている。
ここで、呼出ランプ３０の構成を図４及び図５に示す。
同図において、遊技機２０の情報端末は呼出ランプ３０の入力ボード３１に接続され、この入力ボード３１から入力回路３２に遊技機２０の各種情報としての稼働データが入力される。更に、この入力回路３２には不正検出器３３が接続されており、この不正検出器３３が不正電波等を検出するようになっている。
更に、入力回路３２はマイクロコンピュータからなる制御装置（本例ではＩＣにて構成）３５が接続されている。この制御装置３５に入力される稼働データは、所定の演算処理が施された後、データを表示する例えばカラー液晶パネルからなるデータ表示器３６と、データの状態に応じて点滅する例えばＬＥＤからなる表示ランプ群３７とに入力されると共に、送受信部３８を介して管理装置２５、他の遊技機２０に設けられている他の呼出ランプ３０、報知装置５０へと出力される。
また、この制御装置３５には操作スイッチ群４０が接続されている。この種の操作スイッチ群４０としては、データ表示器３６による表示内容を切り替える切替スイッチ４１、パチンコホールの係員を呼び出すための呼出スイッチ４２等がある。
【００２１】
また、データ表示器３６に表示される遊技機２０からの稼働データとしては、例えば以下のものが挙げられる。
・本日の大当たり回数
・前日の大当たり回数
・前々日の大当たり回数
・本日の確率変動回数
・本日の当たり間スタート回数
・複数日の当たり履歴グラフ
・当たり間スタート履歴グラフ
：
更に、表示ランプ群３７にて表示される遊技機２０からの稼働データとしては、例えば以下のものが挙げられる。
・大当たりに至った状態
・中当たりに至った状態
・小当たりに至った状態
・潜伏確変（確率変動）に至った状態
これは、機種によって様々設定されているが、遊技機２０の見かけ上はわかり難い潜伏状態にあるものの、大当たりに至る確率が高い状態に至っていることを指す。
・不正検出の状態
：
【００２２】
＜報知装置＞
本実施の形態では、呼出ランプ３０に入力される遊技機２０の稼働データＳ（Ｓ１〜Ｓｎ）のうち、特に報知装置５０にて報知すべき情報として、以下の３つの稼働データＳ（Ｓ１〜Ｓｎ）が選択信号として選定されている。
Ｓ１：大当たり１／大当たりに至った状態
Ｓ２：大当たり２／潜伏確変に至った状態
Ｓ３：不正／不正検出の状態
本実施の形態において、報知装置５０は、図５に示すように、呼出ランプ３０の出力端子に接続された出力配線４５と、報知装置５０の入力端子５１（図６参照）に接続された入力配線５２とを接続すると共に、呼出ランプ３０から出力される選択信号Ｓ（Ｓ１〜Ｓ３）を入力し、これらの選択信号Ｓに応じて夫々異なる報知出力を生じさせるものである。尚、符号６１は図示外のＡＣ電源からの給電配線である。
本例では、報知装置５０は、図６に示すように、夫々の入力端子５１からの入力信号としての選択信号Ｓ（Ｓ１〜Ｓ３）が入力される入力回路５３を有すると共に、この入力回路５３には出力回路５４を接続し、この出力回路５４から出力端子５５を経て選択信号Ｓ（Ｓ１〜Ｓ３）を出力可能になっている。
この出力回路５４からの出力は例えば通信回線２６（図２参照）を介して管理装置２５に送信されるようになっており、報知装置５０の出力履歴についても管理されている。
また、報知装置５０は、電源ライン６２に接続される電源端子６３を有しており、この電源端子６３に接続される電源回路６４にＡＣ電源６０からの電力が供給され、電源回路６４からマイクロコンピュータからなる制御装置（本例ではＩＣにて構成）７０に給電されると共に、入力回路５３に入力された入力信号としての選択信号Ｓ（Ｓ１〜Ｓ３）が制御装置７０に入力されるようになっている。
更に、制御装置７０には、音を出力するブザー（図中ＢＺで表記）８１と、光を出力する光源としての複数のＬＥＤ群８２とが接続されている。
ここで、ブザー８１はユーザーの視聴に良好な音量が選べるように、例えば０〜１１０ｄＢの範囲で音量調整可能なものが用いられ、また、ブザー８１の音については適宜選定して差し支えないが、例えばパチンコ機としての遊技機２０から発生される音や、呼出ランプ３０から発生する音と区別できる音質（例えば周波数の違いによる高低）のものを選定することが好ましい。
【００２３】
また、報知装置５０は、図７に示すように、制御基板９０と、この制御基板９０に被せられる半透明の樹脂製のカバー１００とで構成されている。
ここで、制御基板９０は例えば長方形状の基材９１を有しており、この基材９１の略中央に制御装置７０としてのＩＣを実装すると共に、基材９１の長辺に面した部位に入力回路５３、出力回路５４を実装し、また、基材９１の長辺方向の一方側にブザー８１を搭載すると共に、制御基板９０のうちブザー８１の搭載箇所以外の箇所にはＬＥＤ群８２を予め決められた位置関係をもって搭載したものである。尚、制御基板９０に搭載される抵抗素子、コンデンサ素子、スイッチング素子などの図示は省略している。
本例では、ＬＥＤ群８２は、６個の白ＬＥＤ８２ａ（図７ではＷと表記）と、２個の赤ＬＥＤ８２ｂ（図７ではＲと表記）と、２個の青ＬＥＤ８２ｃ（図７ではＢと表記）と、２個の緑ＬＥＤ８２ｄ（図７ではＧと表記）とで構成されている。
そして、６個の白ＬＥＤ８２ａ（Ｗ）は制御基板９０のブザー８１を除く領域内で略Ｕ字状に広範囲に亘って配置され、他の赤ＬＥＤ８２ｂ（Ｒ）、青ＬＥＤ８２ｃ（Ｂ）、緑ＬＥＤ８２ｄ（Ｇ）は、夫々異なる方向（本例では、赤ＬＥＤ８２ｂ（Ｒ）：制御基板９０の長辺と短辺のいずれに対しても略４５度程度傾斜した配置、青ＬＥＤ８２ｃ（Ｂ）：制御基板９０の略長辺方向に沿った配置、緑ＬＥＤ８２ｄ（Ｇ）：制御基板９０の略短辺方向に沿った配置)で互いの距離を離した位置に配置されている。
【００２４】
一方、カバー１００は略直方体の箱形状に一体的に成形された半透明の樹脂製カバー本体１０１を有し、このカバー本体１０１の周側壁１０２外面には縦方向に延びる線状溝１０３を所定ピッチ間隔で多数形成することで、報知装置５０を把持する際の滑り止めと目隠しを企図する一方、カバー本体１０１の頂部１０４のうち、制御基板９０のブザー８１に対応した部位にはブザー８１からの音が通過するための通孔１０５を開設すると共に、ブザー８１に対応した部位以外の部位には例えば四角錐状のカット面１０６を縦横に多数配列されるように形成することで、ＬＥＤ群８２からの光を前記カット面１０６にて拡散反射させるようにしたものである。
更に、カバー本体１０１の頂部１０４のうち、ブザー８１に対応した通孔１０５領域の近傍には断面湾曲状の凹所１０７が形成され、通孔１０５からのブザー８１の音が通過する音道として機能するように考慮されている。
尚、カバー本体１０１の頂部１０４のうち、制御基板９０のＬＥＤ群８２に対応しない部位には前記カット面１０６を形成せずに略矩形状の平滑なラベル取付面１０８が確保され、例えば報知装置５０の製品名、製品番号、製造元などを表示した図示外のラベルの貼着面として使用されるようになっている。
【００２５】
−制御装置による報知制御処理−
次に、制御装置７０による報知制御処理について説明する。
本実施の形態において、制御装置７０は、図８に示すように、呼出ランプ３０からの選択信号Ｓ（Ｓ１〜Ｓ３）の有無をチェックし、選択信号Ｓが有りの場合には、選択信号Ｓ（Ｓ１〜Ｓ３）がいずれであるかを判別する。
選択信号Ｓの判別処理が終了すると、選択信号Ｓ（Ｓ１〜Ｓ３）に応じて第１の報知信号Ｋ（Ｋ１〜Ｋ３）を決定する。
この第１の報知信号Ｋの生成アルゴリズムとしては、例えば図９（ａ）に示すように、選択信号Ｓ（Ｓ１〜Ｓ３）に対して１対１に関連付けるように、第１の報知信号Ｋ（Ｋ１〜Ｋ３）の音成分Ｓｄ（Ｓｄ(1)〜Ｓｄ(3)）と光成分Ｂｍ（Ｂｍ(1)〜Ｂｍ(3)）とが予め定められた検索テーブルを制御装置７０内のメモリに格納しておき、選択信号Ｓ（Ｓ１〜Ｓ３）に応じて検索テーブルを検索することで、対応する第１の報知信号Ｋ（Ｋ１〜Ｋ３）を決定する方式が採用されている。
【００２６】
ここで、音成分Ｓｄ（Ｓｄ(1)〜Ｓｄ(3)）としては、図９（ａ）（ｂ）に示すように、例えば第１の報知信号Ｋ１の音成分（Ｓｄ(1)）は連続音、第２の報知信号Ｋ２の音成分（Ｓｄ(2)）は所定周期間隔の間欠音、第３の報知信号Ｋ３の音成分（Ｓｄ(3)）は図９（ｂ）に図示していないが、例えばＳｄ(2)よりも周期間隔が短い又は長い間欠音が選定される。
また、光成分Ｂｍ（Ｂｍ(1)〜Ｂｍ(3)）としては、図９（ｃ）に示すように、例えば第１の報知信号Ｋ１の光成分Ｂｍ(1)は、白ＬＥＤ８２ａ（Ｗ）全部を周期ｔｗで所定時間点滅させると共に、赤ＬＥＤ８２ｂ（Ｒ）、青ＬＥＤ８２ｃ（Ｂ）、緑ＬＥＤ８２ｄ（Ｇ）を夫々周期ｔｒ、ｔｂ、ｔｇ（本例ではｔｒ（例えば０．６秒）＞ｔｂ（例えば０．３秒）＞ｔｇ（例えば０．２秒））で点滅させ、所定時間（例えば３〜１０分程度）後に停止信号ＳＴにて停止させる。尚、第１の報知信号Ｋ２，Ｋ３の光成分Ｂｍ(2)，Ｂｍ(3)については、図９（ｃ）に図示していないが、光成分Ｂｍ(1)とは異なるパターンにて適宜選定される。
ここで、白ＬＥＤ８２ａ（Ｗ）は点滅することで半透明のカバー１００を通じて報知装置５０内部の搭載物が直接露呈するのを目隠しする働きがあるため、本例では、通常時においても、白ＬＥＤ８２ａ（Ｗ）の全部又は一部が適宜周期で点滅するようになっている。
尚、本例では、第１の報知信号Ｋ（Ｋ１〜Ｋ３）は、音成分及び光成分のいずれをも異なるように選定されているが、両者の組み合わせパターンが異なる態様であれば、例えば音成分を一定にしておき、光成分だけを変更するようにしてもよいし、逆に、光成分を一定にしておき、音成分だけを変更するようにする等適宜選定して差し支えない。
このようにして選択信号Ｓに応じて第１の報知信号Ｋが決定されると、この第１の報知信号Ｋがブザー８１，ＬＥＤ群８２に送信され、ブザー８１は第１の報知信号Ｋの音成分に従って音を出力すると共に、ＬＥＤ群８２は第１の報知信号Ｋの光成分に従って光を出力する。
【００２７】
また、呼出ランプ３０からの選択信号Ｓが無しの場合には、制御装置７０は、報知装置５０内で設定した報知条件の有無についてチェックする。
この種の報知条件としては、例えばパチンコホールの店舗の開店時に、報知装置５０による報知動作を所定時間（例えば３０分）行い、店舗を活気づけたいという要望があるような場合に、例えば制御装置７０のタイマにて店舗の開店時に合わせて報知装置５０による予め定めた報知パターンによる報知動作を実施可能とする条件を定め、第１の報知信号Ｋとは別に、第１の報知信号Ｋとは異なる音成分及び光成分を含む第２の報知信号Ｍを生成するようにしておけばよい。
このように、報知条件を設定しておけば、制御装置７０は設定報知条件（報知開始時間）に合致するか否かをチェックし、合致した場合には、第２の報知信号Ｍをブザー８１及びＬＥＤ群８２に送信し、ブザー８１からは第２の報知信号Ｍの音成分に従って音を出力すると共に、ＬＥＤ群８２からは第２の報知信号Ｍの光成分に従って光を出力する。
尚、この種の報知条件については報知装置設置者の意向に従って適宜選定して差し支えない。
【００２８】
−報知装置の作動−
本実施の形態によれば、パチンコホールの店舗開店時には、報知装置５０は、前述したように、第２の報知信号Ｍにて予め定められたブザー８１及びＬＥＤ群８２による報知動作を行う。この状態では、図２に示すように、店舗内の島毎に配列されている遊技機２０の上方で呼出ランプ３０に付設された報知装置５０が所定時間報知動作を継続するため、店舗全体に活気づいた雰囲気が漂い、店舗のイメージアップにつながる点で好ましい。
また、遊技機２０の稼働状態として、「大当たりに至った状態」、「潜伏確変に至った状態」又は「不正検出の状態」にあるとき、当該遊技機２０からの稼働データが呼出ランプ３０に入力され、呼出ランプ３０にはこれらの稼働データに基づく情報が表示されている。
これに加えて、本実施の形態では、報知装置５０は、呼出ランプ３０からの選択信号Ｓ（Ｓ１〜Ｓ３）に基づいてブザー８１及びＬＥＤ群８２による音と光の組み合わせの報知動作を実施する。
これにより、パチンコホールの係員やユーザーは報知装置５０の報知動作を見て遊技機２０に対して特に重要な情報（本例では、「大当たりに至った状態」、「潜伏確変に至った状態」又は「不正検出の状態」）を把握することが可能である。
このため、遊技機２０に対して特に重要な情報については、呼出ランプ３０から注意深く情報を読み取ることなく、報知装置５０を見て簡単に理解することが可能である。
よって、パチンコホールの係員にとっては、遊技機２０に対する特に重要な情報（大当たり関連情報及び不正使用情報）を呼出ランプ３０から認識する場合に比べて、より簡易に且つ的確に認識することができる。また、呼出ランプ３０の見方に熟知していないユーザーにとっても、報知装置５０に着目することで特に重要な情報を容易に認識することができる。
更に、本実施の形態に係る報知装置５０は、遊技機２０に付加された呼出ランプ３０に対して接続されているだけなので、遊技機２０との接続はなく、また、遊技機２０に外部から信号を与えるものでもなく、しかも、報知装置５０に対するＡＣ電源６０ｍも遊技機２０からはとらないので、報知装置５０が遊技機２０に影響を与えることは一切ない。
【００２９】
−遊技機としてのパチスロ機−
本実施の形態では、遊技機２０としてパチンコ機を例に挙げて説明したが、これに限られるものではなく、パチスロ機にも同様に適用して差し支えない。
但し、パチンコ機の場合には、パチンコ機からの稼働データが呼出ランプ３０の機種毎に別途設けられる入力ボード３１を介して入力回路３２に入力されるのに対し、パチスロ機の場合には、呼出ランプ３０には統一規格化されたマルチ入力ボードが設けられているため、パチスロ機からの稼働データは呼出ランプ３０のマルチ入力ボードを介して入力回路３２に入力される点で相違するが、呼出ランプ３０と報知装置５０との相互関係については同様である。
【００３０】
◎実施の形態２
図１０は実施の形態２に係る報知装置の要部を示す説明図である。
同図において、報知装置５０の基本的構成は、実施の形態１と略同様であるが、実施の形態１と異なり、第１の報知信号Ｋ及び第２の報知信号Ｍを書き換え可能な構成を備えている。尚、実施の形態１と同様な構成要素については実施の形態１と同様な符号を付してここではその詳細な説明を省略する。
本実施の形態において、制御装置７０には、予め設定した第１の報知信号Ｋ及び第２の報知信号Ｍのいずれかを書き換える場合に、これらの情報が書き込まれていたメモリの内容を必要に応じて消去してリセットするためのリセットＩＣ１１０が接続され、また、リセットＩＣ１１０にてリセットされた制御装置７０に対し、新たに第１の報知信号Ｋ又は第２の報知信号Ｍの音成分や光成分を設定し直すための可変設定器１２０が接続されている。このとき、音成分としては周波数（高低）や間欠音の周期を変えたり、あるいは、光成分としては光の色の組み合わせや光の点灯タイミングを変えること等が行われる。
本例によれば、パチンコホールの係員やユーザーの利用者層を考慮し、報知装置５０による報知動作条件を報知装置設置者の意向に従って適宜選定することが可能である。
更に、本実施の形態では、制御装置７０には停止スイッチ１３０が接続されており、例えばブザー８１及びＬＥＤ群８２による報知動作が自動停止する前に、当該報知動作を停止させたい要望がある場合には、停止スイッチ１３０を操作することで報知装置５０の報知動作を強制的に呈しさせることも可能である。
【００３１】
◎実施の形態３
図１１は実施の形態３に係る報知装置の要部を示す説明図である。
同図において、報知装置５０の基本的構成は、実施の形態１と略同様であるが、音の出力手段及び使用する音成分が実施の形態１と異なっている。尚、実施の形態１と同様な構成要素については実施の形態１と同様な符号を付し、ここではその詳細な説明を省略する。
本実施の形態において、音出力手段としてはスピーカ８３が用いられ、このスピーカ８３はスピーカアンプ８４を介して制御装置７０に接続されている。尚、このスピーカ８３は、例えば図５に二点鎖線で示すように、スピーカ配線６５を介して報知装置５０のＡＣ電源６０に接続されている。
また、本例で使用される音成分は音楽曲であり、制御装置７０には通信ＩＣ１４０が接続されると共に、通信ライン１４１が通信端子１４２に接続され、この通信端子１４２が通信ＩＣ１４０を介して制御装置７０に接続されている。
そして、この制御装置７０には通信ライン１４１を介してダウンロードした音楽曲を格納する音声メモリ１５０が接続され、また、音声メモリ１５０に格納されている複数の音楽曲を選択する曲名選択スイッチ１５１が接続されている。
尚、本例では、リセットＩＣ１１０は音声メモリ１５０に格納されている音楽曲の一部を消去することでリセットし、通信ライン１４１を介して新たな音楽曲をダウンロードして音声メモリ１５０に格納するようになっている。
本実施の形態によれば、第１の報知信号Ｋ及び第２の報知信号Ｍに基づく報知装置５０による報知出力として、音成分として、報知装置設置者が任意に選択した音楽曲を利用することができる。
【００３２】
◎実施の形態４
図１２（ａ）は実施の形態４に係る情報表示システムの全体構成を示す。
同図において、パチンコホールでは、パチンコ機又はパチスロ機等の遊技機２０が島毎、具体的にはＹ１〜Ｙｎ列に夫々Ｘｍ台配列されている。そして、各遊技機２０の上方には夫々呼出ランプ３０が設けられている。
また、各遊技機２０の呼出ランプ３０からの情報の一部は通信可能に表示ボード２００に送信されるようになっている。
本実施の形態において、表示ボード２００は例えばパチンコホールの一カ所に配置されており、この表示ボード２００には、各遊技機２０の呼出ランプ３０に対応した報知装置５０が遊技機２０の位置関係（Ｘｉ，Ｙｊ）（ｉ＝１〜ｍ，ｊ＝１〜ｎ）に対応して設けられている。尚、本例で使用される報知装置５０は例えば実施の形態１〜３に係るものと同様の構成を備えている。
従って、例えば（Ｘ３，Ｙ１）に位置する遊技機２０が大当たりに至った状態にあると仮定すると、遊技機２０からの選択信号Ｓ１が呼出ランプ３０を経由して報知装置５０に入力される。このため、表示ボード２００では、（Ｘ３，Ｙ１）に位置の遊技機２０に対応する報知装置５０が第１の報知信号Ｋ１に従って音と光の組み合わせの報知動作を行う。
同様に、例えば（Ｘ１，Ｙｎ）に位置する遊技機２０が潜伏確変に至った状態にあると仮定すると、遊技機２０からの選択信号Ｓ２が呼出ランプ３０を経由して報知装置５０に入力される。このため、表示ボード２００では、（Ｘ１，Ｙｎ）に位置の遊技機２０に対応する報知装置５０が第１の報知信号Ｋ２に従って音と光の組み合わせの報知動作を行う。
更に、例えば（Ｘ６，Ｙ２）に位置する遊技機２０が不正検出の状態にあると仮定すると、遊技機２０からの選択信号Ｓ３が呼出ランプ３０を経由して報知装置５０に入力される。このため、表示ボード２００では、（Ｘ６，Ｙ２）に位置の遊技機２０に対応する報知装置５０が第１の報知信号Ｋ３に従って音と光の組み合わせの報知動作を行う。
尚、第２の報知信号Ｍを使用する態様にあっては、報知装置５０は、第２の報知信号Ｍが生成された場合、この第２の報知信号Ｍに従って音と光の組み合わせの報知動作を行うことは勿論である。
このように、本例にあっては、表示ボード２００を見ることで、パチンコホール全域の各遊技機２０の稼働状態を把握することが可能である。
【００３３】
◎実施の形態５
図１３は実施の形態５に係る情報表示システムの概要を示す。
同図において、情報表示システムは、例えば管理者Ｐの住居に設置されて各種情報が表示される情報表示装置３００と、管理者Ｐとの間で一つの情報共有のコミュニティを組織した各組織員Ｕ（本例では、形式上（Ｘｉ，Ｙｊ）（ｉ＝１〜ｍ，ｊ＝１〜ｎ）の座標表示で表記）の住居に夫々設置され、情報表示装置３００の各種情報のうち特に必要性の高い情報の一部を報知するための報知装置５０と、を備えている。
本実施の形態では、管理者Ｐの情報表示装置３００と、各組織員Ｕの報知装置５０とが例えば通信回線３１０を介して双方向で通信可能に接続されている。
そして、情報表示装置３００は外部から各種情報が取り込まれて表示されるものであり、重要度の高い情報Ｉ（Ａ），重要度が中程度の情報Ｉ（Ｂ），重要度の低い情報Ｉ（Ｃ）が混在して取り込まれるようになっている。
ここでいう重要度の高い情報Ｉ（Ａ）としては、コミュニティの性格に依存すると思われるが、例えば緊急地震速報、津波警報、環境汚染情報などの生死にかかる情報や、在宅看護に関する投薬指示などの情報が挙げられる。
一方、各組織員Ｕの報知装置５０には情報表示装置３００の全ての情報が伝達されるのではなく、重要度の高い情報Ｉ（Ａ）が通信回線３１０を介して伝達されるようになっている。
【００３４】
本例において、報知装置５０は、例えば図１４に示すように、実施の形態１と略同様に構成されているが、実施の形態１と異なり、通信ＩＣ１４０及び確認スイッチ３２０を備えている。尚、実施の形態１と同様な構成要素については実施の形態１と同様な符号を付してここではその詳細な説明を省略する。
本例では、制御装置７０には通信ＩＣ１４０が接続され、この通信ＩＣ１４０が通信端子１４２を介して通信ライン１４１に接続されると共に、入力回路５３が通信ＩＣ１４０を介して制御装置７０に接続されている。このため、情報表示装置３００からの重要度の高い情報Ｉ（Ａ）、具体的にはＩ（Ａ）−１，Ｉ（Ａ）−２，Ｉ（Ａ）−３は通信回線３１０（図１３参照）を経て報知装置５０に伝達され、報知装置５０の入力回路５３を経て制御装置７０に取り込まれる。
また、制御装置７０には確認スイッチ３２０が接続されており、組織員Ｕが例えば重要度の高い情報Ｉ（Ａ）を受け取ったときに確認スイッチ３２０を操作することで、管理者Ｐの情報表示装置３００に確認信号を通信回線３１０を介して送信するようになっている。
このように、本実施の形態では、管理者Ｐの情報表示装置３００に表示された各種情報のうち、特に重要度の高い情報Ｉ（Ａ）が各組織員Ｕの報知装置５０に伝達され、夫々の報知装置５０が音と光の組み合わせの報知動作を行う。このため、各組織員Ｕは重要度の高い情報Ｉ（Ａ）を的確に把握することが可能である。
そして、各組織員Ｕが重要度の高い情報Ｉ（Ａ）を取得した場合に、確認スイッチ３２０の操作を義務づけておけば、管理者Ｐは情報表示装置３００に返信されてきた確認情報を見て情報伝達の有無を把握することが可能である。
尚、本実施の形態では、確認スイッチ３２０による確認信号は通信回線３１０を介して管理者Ｐの情報表示装置３００に送信されるようになっているが、これに限られるものではなく、予め決められた別のセンターに確認スイッチ３２０の確認信号を返信するなど適宜選定して差し支えない。
【産業上の利用可能性】
【００３５】
本発明の報知装置は、各種情報を表示する情報表示装置に付設されるものを想定しているが、例えば情報表示装置とは切り離して報知装置を単独で使用することは可能である。この場合、報知装置の入力回路には情報表示装置の出力信号とは無関係に生成される情報信号を選択信号として入力するようにすればよい。
【符号の説明】
【００３６】
１…情報表示装置，２…報知装置，３…音出力手段，４…光出力手段，５…入力手段，６…出力制御手段，７…可変設定部，８…信号生成部，９…停止操作手段，１０…告知操作手段，Ｔ…情報表示対象
【図１】
2013009725.tif 000003
【図２】
2013009725.tif 000004
【図３】
2013009725.tif 000005
【図４】
2013009725.tif 000006
【図５】
2013009725.tif 000007
【図６】
2013009725.tif 000008
【図７】
2013009725.tif 000009
【図８】
2013009725.tif 000010
【図９】
2013009725.tif 000011
【図１０】
2013009725.tif 000012
【図１１】
2013009725.tif 000013
【図１２】
2013009725.tif 000014
【図１３】
2013009725.tif 000015
【図１４】
2013009725.tif 000016